(57)【要約】【課題】平面型スピーカと他の動電型スピーカとのいずれをも接続駆動する。【解決手段】本願発明の音声出力システムは、基準クロックに基づいて入力信号をパルス幅変調するパルス幅変調部６と、基準クロックを分周する第１エッジトリガ部８ａと、変調信号を分周する第２エッジトリガ部８ｂと、変調信号を位相反転する位相反転部９と、分周された基準クロックと位相反転された変調信号とを切り換えて第１及び第２スイッチング素子１３ａ，１３ｂに供給する第１スイッチＳＷ１と、分周された変調信号と変調された変調信号とを切り換えて第３及び第４スイッチング素子１３ｃ，１３ｄに供給する第２スイッチＳＷ２と、第１及び第２スイッチング素子１３ａ，１３ｂからの駆動電流を平面型スピーカ１又は動電型スピーカ２に供給するかを切り換える第３スイッチＳＷ３と、第３及び第４スイッチング素子１３ｃ，１３ｄからの駆動電流を平面型スピーカ１又は動電型スピーカ２に供給するかを切り換える第４スイッチＳＷ４とを備える。【選択図】図１
2009232346.tif 000002
【特許請求の範囲】
【請求項１】
入力信号としてのオーディオ信号を発生する信号源が接続可能であり、
基準クロックを発生するクロック発生手段と、
前記クロック発生手段からの基準クロックに基づいて前記信号源からの入力信号をパルス幅変調して変調信号を出力するパルス幅変調手段と、
前記クロック発生手段からの基準クロックを分周するクロック分周手段と、
前記パルス幅変調手段からの変調信号を分周する変調信号分周手段と、
前記パルス幅変調手段からの変調信号を位相反転する位相反転手段と、
供給される信号のレベルに基づいて正負の電源電圧をスイッチングして駆動電流として後段に供給する第１の電流供給手段と、
供給される信号のレベルに基づいて正負の電源電圧をスイッチングして駆動電流として後段に供給する、前記第１の電流供給手段と別に設けられた第２の電流供給手段と、
前記クロック分周手段によって分周された基準クロックと、前記位相反転手段によって位相反転された変調信号とを切り換えて前記第１の電流供給手段に供給する第１の切換手段と、
前記第１の切換手段と連動し、前記変調信号分周手段によって分周された変調信号と、前記パルス幅変調手段によって変調された変調信号とを切り換えて前記第２の電流供給手段に供給する第２の切換手段と、
対向する一対の平面板を有し、前記一対の平面板の各表面に形成された導体線路に流れる電流の向きによって生じる電磁力に基づいて、前記一対の平面板のうちいずれか一方もしくは双方の平面板を振動させて音声を出力する平面型スピーカと、
前記パルス幅変調手段からの変調信号及び前記位相反転手段によって位相反転された変調信号に基づく駆動電流が供給されることにより音声を出力する他の動電型スピーカと、
前記第１の切換手段と連動し、前記第１の電流供給手段からの駆動電流を前記平面型スピーカの一方端に供給するか又は前記他の動電型スピーカの一方端に供給するかを切り換える第３の切換手段と、
前記第１の切換手段と連動し、前記第２の電流供給手段からの駆動電流を前記平面型スピーカの他方端に供給するか又は前記他の動電型スピーカの他方端に供給するかを切り換える第４の切換手段と、
を備えることを特徴とする、音声出力システム。
【請求項２】
前記第３切換手段の一方の出力端と前記他の動電型スピーカとの間には、前記第３切換手段の一方の出力の高調波成分を除去するための第１の低域通過フィルタ手段が介在され、
前記第４切換手段の一方の出力端と前記他のスピーカとの間には、前記第４切換手段の一方の出力の高調波成分を除去するための第２の低域通過フィルタ手段が介在されている、請求項１に記載の音声出力システム。
【請求項３】
入力信号としてのオーディオ信号を発生する信号源が接続可能であり、
基準クロックを発生するクロック発生手段と、
前記クロック発生手段からの基準クロックに基づいて前記信号源からの入力信号をパルス幅変調して変調信号を出力するパルス幅変調手段と、
前記クロック発生手段からの基準クロックを分周するクロック分周手段と、
前記パルス幅変調手段からの変調信号を分周する変調信号分周手段と、
前記パルス幅変調手段からの変調信号を位相反転する位相反転手段と、
対向する一対の平面板を有し、前記一対の平面板の各表面に形成された導体線路に流れる電流の向きによって生じる電磁力に基づいて、前記一対の平面板のうちいずれか一方の平面板を振動させて音声を出力する平面型スピーカと、
前記クロック分周手段によって分周された基準クロックのレベルに基づいて正負の電源電圧をスイッチングして駆動電流として前記平面型スピーカの一方端に供給する第１の電流供給手段と、
前記変調信号分周手段によって分周された変調信号のレベルに基づいて正負の電源電圧をスイッチングして駆動電流として前記平面型スピーカの他方端に供給する第２の電流供給手段と、
前記パルス幅変調手段からの変調信号及び前記位相反転手段によって位相反転された変調信号に基づく駆動電流が供給されることにより音声を出力する他の動電型スピーカと、
前記パルス幅変調手段によって変調された変調信号のレベルに基づいて正負の電源電圧をスイッチングして駆動電流として前記他の動電型スピーカの一方端に供給する第３の電流供給手段と、
前記位相反転手段によって位相反転された変調信号のレベルに基づいて正負の電源電圧をスイッチングして駆動電流として前記他の動電型スピーカの他方端に供給する第４の電流供給手段と、
を備えることを特徴とする、音声出力システム。
【請求項４】
入力信号としてのオーディオ信号を発生する信号源が接続可能であり、
基準クロックを発生するクロック発生手段と、
前記クロック発生手段からの基準クロックに基づいて前記信号源からの入力信号をパルス幅変調して変調信号を出力するパルス幅変調手段と、
前記クロック発生手段からの基準クロックを分周するクロック分周手段と、
前記パルス幅変調手段からの変調信号を分周する変調信号分周手段と、
前記パルス幅変調手段からの変調信号を位相反転する位相反転手段と、
供給される信号のレベルに基づいて正負の電源電圧をスイッチングして駆動電流として後段に供給する第１の電流供給手段と、
供給される信号のレベルに基づいて正負の電源電圧をスイッチングして駆動電流として後段に供給する、前記第１の電流供給手段と別に設けられた第２の電流供給手段と、
前記クロック分周手段によって分周された基準クロックと、前記位相反転手段によって位相反転された変調信号とを切り換えて前記第１の電流供給手段に供給する第１の切換手段と、
前記第１の切換手段と連動し、前記変調信号分周手段によって分周された変調信号と、前記パルス幅変調手段によって変調された変調信号とを切り換えて前記第２の電流供給手段に供給する第２の切換手段と、
前記第１の切換手段と連動し、前記第１の電流供給手段からの出力を、対向する一対の平面板を有し、前記一対の平面板の各表面に形成された導体線路に流れる電流の向きによって生じる電磁力に基づいて、前記一対の平面板のうちいずれか一方もしくは双方の平面板を振動させて音声を出力する平面型スピーカの一方端に供給するか、又は前記パルス幅変調手段からの変調信号及び前記位相反転手段によって位相反転された変調信号に基づく駆動電流が供給されることにより音声を出力する他の動電型スピーカの一方端に供給するかを切り換える第３の切換手段と、
前記第１の切換手段と連動し、前記第２の電流供給手段からの出力を前記平面型スピーカの他方端に供給するか又は前記他の動電型スピーカの他方端に供給するかを切り換える第４の切換手段と、
を備えることを特徴とする、オーディオアンプ。
【発明の詳細な説明】
【技術分野】
【０００１】
本願発明は、平面型スピーカやこの平面型スピーカと駆動形態の異なる他の動電型スピーカから音声を出力させる音声出力システム、及びこの音声出力システムに用いられるオーディオアンプに関するものである。
【背景技術】
【０００２】
従来、オーディオ機器としてのスピーカには、例えば略円錐状の振動板を有し、この振動板に備えられたボイスコイルに駆動電流を流すことにより振動板が振動し、音声を出力させる、いわゆる動電型スピーカがある。
【０００３】
この動電型スピーカを駆動するためのオーディオアンプとしては、例えば元のオーディオ信号をパルス幅変調するスイッチングアンプが知られている。このスイッチングアンプでは、オーディオ信号が変調された変調信号とこの変調信号を反転させた反転変調信号とによってＭＯＳ−ＦＥＴ等のスイッチング素子を交互にオン、オフ動作させ、高調波成分をローパスフィルタで除去した後の駆動電流が動電型スピーカに供給される。
【０００４】
一方、近年では、例えば対向配置された一対の平面板を備え、一対の平面板にそれぞれに形成された導体線路に流れる駆動電流の向きによって生じる電磁力に基づいて、平面板を振動させて音声を出力させる平面型スピーカが提案されている（例えば特許文献１参照）。
【０００５】
【特許文献１】特許第３３４９６４７号公報
【０００６】
また、本願出願人は、上記平面型スピーカとそれを駆動するためのスイッチングアンプとを備えたスピーカシステムを特願２００６−２８４４７８号において提案している。図９及び図１０は、平面型スピーカの概略構造図とこの平面型スピーカを駆動するためのパルス信号（制御パルス信号及び駆動パルス信号）とを表す図である。
【０００７】
これらの図によれば、平面型スピーカは、例えば導体線路２２ａ，２２ｂがそれぞれ形成された一対の振動板２１ａ，２１ｂを有し、各導体線路２２ａ，２２ｂに一定周期でハイレベル及びローレベルを交互に繰り返す制御パルス信号と、オーディオ信号の振幅に応じてデューティ比が変化する駆動パルス信号とを供給することにより、一対の振動板２１ａ，２１ｂの間に引力と斥力とを生じさせている。
【０００８】
図９は、一対の振動板２１ａ，２１ｂの間に斥力が生じる場合を示す図であるが、制御パルス信号と駆動パルス信号とが互いに異なるレベルのとき（斜線部分参照）、一方の振動板２１ａの導体線路２２ａに流れる電流と他方の振動板２１ｂの導体線路２２ｂに流れる電流との向きが互いに逆方向となり、一対の振動板２１ａ，２１ｂ間に斥力が生じる。
【０００９】
一方、図１０は、一対の振動板２１ａ，２１ｂの間に引力が生じる場合を示す図であるが、制御パルス信号と駆動パルス信号とが互いに同一のレベルのとき（斜線部分参照）、一方の振動板２１ａの導体線路２２ａに流れる電流と他方の振動板２１ｂの導体線路２２ｂに流れる電流との向きが同一方向となり、一対の振動板２１ａ，２１ｂ間に引力が生じる。このように、一対の振動板２１ａ，２１ｂ間に斥力及び引力が生じることにより、一対の振動板２１ａ，２１ｂのうちのいずれかの振動板が振動し、これにより音声が出力される。
【００１０】
上記のように、平面型スピーカを駆動させる場合には、変調信号と反転変調信号とに基づく駆動電流によって駆動する例えば動電型スピーカとは異なる駆動信号を、平面型スピーカに供給する必要がある。そのため、平面型スピーカを接続して駆動させるオーディオアンプ（スイッチングアンプ）は、平面型スピーカ特有の回路を備えたものとなり、平面型スピーカ固有のものとなる。
【００１１】
したがって、例えばユーザがそのオーディオアンプに平面型スピーカに代えて動電型スピーカを接続して当該スピーカから音声を出力させたい場合、当該オーディオアンプでは動電型スピーカを駆動させるための駆動信号が生成できないため、動電型スピーカを接続して駆動させることができないといった問題点があった。
【００１２】
特に、近年になって平面型スピーカに関する提案はなされているものの、その需要はまだまだ動電型スピーカ等に比べて低いため、平面型スピーカを駆動させることができるオーディオアンプに、動電型スピーカ等の従来のスピーカを接続したいという要請がある。
【発明の開示】
【発明が解決しようとする課題】
【００１３】
本願発明は、上記した事情のもとで考え出されたものであって、平面型スピーカとそれと駆動形態が異なる他のスピーカとのいずれをも接続駆動することのできる音声出力システムを提供することを、その課題とする。また、この音声出力システムに用いられるオーディオアンプを提供することを、その課題とする。
【課題を解決するための手段】
【００１４】
上記の課題を解決するため、本願発明では、次の技術的手段を講じている。
【００１５】
本願発明の第１の側面によって提供される音声出力システムは、入力信号としてのオーディオ信号を発生する信号源が接続可能であり、基準クロックを発生するクロック発生手段と、前記クロック発生手段からの基準クロックに基づいて前記信号源からの入力信号をパルス幅変調して変調信号を出力するパルス幅変調手段と、前記クロック発生手段からの基準クロックを分周するクロック分周手段と、前記パルス幅変調手段からの変調信号を分周する変調信号分周手段と、前記パルス幅変調手段からの変調信号を位相反転する位相反転手段と、供給される信号のレベルに基づいて正負の電源電圧をスイッチングして駆動電流として後段に供給する第１の電流供給手段と、供給される信号のレベルに基づいて正負の電源電圧をスイッチングして駆動電流として後段に供給する、前記第１の電流供給手段と別に設けられた第２の電流供給手段と、前記クロック分周手段によって分周された基準クロックと、前記位相反転手段によって位相反転された変調信号とを切り換えて前記第１の電流供給手段に供給する第１の切換手段と、前記第１の切換手段と連動し、前記変調信号分周手段によって分周された変調信号と、前記パルス幅変調手段によって変調された変調信号とを切り換えて前記第２の電流供給手段に供給する第２の切換手段と、対向する一対の平面板を有し、前記一対の平面板の各表面に形成された導体線路に流れる電流の向きによって生じる電磁力（電流間力ともいう。以下同様。）に基づいて、前記一対の平面板のうちいずれか一方もしくは双方の平面板を振動させて音声を出力する平面型スピーカと、前記パルス幅変調手段からの変調信号及び前記位相反転手段によって位相反転された変調信号に基づく駆動電流が供給されることにより音声を出力する他の動電型スピーカと、前記第１の切換手段と連動し、前記第１の電流供給手段からの駆動電流を前記平面型スピーカの一方端に供給するか又は前記他の動電型スピーカの一方端に供給するかを切り換える第３の切換手段と、前記第１の切換手段と連動し、前記第２の電流供給手段からの駆動電流を前記平面型スピーカの他方端に供給するか又は前記他の動電型スピーカの他方端に供給するかを切り換える第４の切換手段と、を備えることを特徴としている（請求項１）。
【００１６】
この構成によれば、第１ないし第４の切換手段が一方側（例えば平面型スピーカ側）に切り換えられると、第１の切換手段によって、クロック分周手段によって分周された基準クロックが第１の電流供給手段に供給されるとともに、第２の切換手段によって、変調信号分周手段によって分周された変調信号が第２の電流供給手段に供給される。第１の電流供給手段では、供給される分周された基準クロックのレベルに基づいて正負の電源電圧がスイッチングされて駆動電流として第３の切換手段を介して平面型スピーカの一方端に供給される。第２の電流供給手段では、供給される分周された変調信号のレベルに基づいて正負の電源電圧がスイッチングされて駆動電流として第４の切換手段を介して平面型スピーカの他方端に供給される。
【００１７】
一方、第１ないし第４の切換手段が他方側（例えば他の動電型スピーカ側）に切り換えられると、第１の切換手段によって、位相反転手段によって位相反転された変調信号が第１の電流供給手段に供給されるとともに、第２の切換手段によって、パルス幅変調手段によって変調された変調信号が第２の電流供給手段に供給される。第１の電流供給手段では、供給される位相反転された変調信号のレベルに基づいて正負の電源電圧がスイッチングされて駆動電流として第３の切換手段を介して他の動電型スピーカの一方端に供給される。第２の電流供給手段では、供給される変調信号のレベルに基づいて正負の電源電圧がスイッチングされて駆動電流として第４の切換手段を介して他の動電型スピーカの他方端に供給される。
【００１８】
このように、上記音声出力システムでは、平面型スピーカと他の動電型スピーカとをともに接続することができ、第１ないし第４の切換手段によって、平面型スピーカと他の動電型スピーカとを容易に切り換えて駆動させることができる。したがって、平面型スピーカ専用のアンプ装置や他の動電型スピーカ専用のアンプ装置を別途用意する必要がなく、汎用性のある音声出力システムを提供することができる。
【００１９】
本願発明の音声出力システムにおいて、前記第３切換手段の一方の出力端と前記他の動電型スピーカとの間には、前記第３切換手段の一方の出力の高調波成分を除去するための第１のフィルタ手段が介在され、前記第４切換手段の一方の出力端と前記他の動電型スピーカとの間には、前記第４切換手段の一方の出力の高調波成分を除去するための第２のフィルタ手段が介在されているとよい（請求項２）。
【００２０】
本願発明の第２の側面によって提供される音声出力システムは、入力信号としてのオーディオ信号を発生する信号源が接続可能であり、基準クロックを発生するクロック発生手段と、前記クロック発生手段からの基準クロックに基づいて前記信号源からの入力信号をパルス幅変調して変調信号を出力するパルス幅変調手段と、前記クロック発生手段からの基準クロックを分周するクロック分周手段と、前記パルス幅変調手段からの変調信号を分周する変調信号分周手段と、前記パルス幅変調手段からの変調信号を位相反転する位相反転手段と、対向する一対の平面板を有し、前記一対の平面板の各表面に形成された導体線路に流れる電流の向きによって生じる電磁力に基づいて、前記一対の平面板のうちいずれか一方もしくは双方の平面板を振動させて音声を出力する平面型スピーカと、前記クロック分周手段によって分周された基準クロックのレベルに基づいて正負の電源電圧をスイッチングして駆動電流として前記平面型スピーカの一方端に供給する第１の電流供給手段と、前記変調信号分周手段によって分周された変調信号のレベルに基づいて正負の電源電圧をスイッチングして駆動電流として前記平面型スピーカの他方端に供給する第２の電流供給手段と、前記パルス幅変調手段からの変調信号及び前記位相反転手段によって位相反転された変調信号に基づく駆動電流が供給されることにより音声を出力する他の動電型スピーカと、前記パルス幅変調手段によって変調された変調信号のレベルに基づいて正負の電源電圧をスイッチングして駆動電流として前記他の動電型スピーカの一方端に供給する第３の電流供給手段と、前記位相反転手段によって位相反転された変調信号のレベルに基づいて正負の電源電圧をスイッチングして駆動電流として前記他の動電型スピーカの他方端に供給する第４の電流供給手段と、を備えることを特徴としている（請求項３）。
【００２１】
本願発明の第３の側面によって提供されるオーディオアンプは、入力信号としてのオーディオ信号を発生する信号源が接続可能であり、基準クロックを発生するクロック発生手段と、前記クロック発生手段からの基準クロックに基づいて前記信号源からの入力信号をパルス幅変調して変調信号を出力するパルス幅変調手段と、前記クロック発生手段からの基準クロックを分周するクロック分周手段と、前記パルス幅変調手段からの変調信号を分周する変調信号分周手段と、前記パルス幅変調手段からの変調信号を位相反転する位相反転手段と、供給される信号のレベルに基づいて正負の電源電圧をスイッチングして駆動電流として後段に供給する第１の電流供給手段と、供給される信号のレベルに基づいて正負の電源電圧をスイッチングして駆動電流として後段に供給する、前記第１の電流供給手段と別に設けられた第２の電流供給手段と、前記クロック分周手段によって分周された基準クロックと、前記位相反転手段によって位相反転された変調信号とを切り換えて前記第１の電流供給手段に供給する第１の切換手段と、前記第１の切換手段と連動し、前記変調信号分周手段によって分周された変調信号と、前記パルス幅変調手段によって変調された変調信号とを切り換えて前記第２の電流供給手段に供給する第２の切換手段と、前記第１の切換手段と連動し、前記第１の電流供給手段からの出力を、対向する一対の平面板を有し、前記一対の平面板の各表面に形成された導体線路に流れる電流の向きによって生じる電磁力に基づいて、前記一対の平面板のうちいずれか一方もしくは双方の平面板を振動させて音声を出力する平面型スピーカの一方端に供給するか、又は前記パルス幅変調手段からの変調信号及び前記位相反転手段によって位相反転された変調信号に基づく駆動電流が供給されることにより音声を出力する他の動電型スピーカの一方端に供給するかを切り換える第３の切換手段と、前記第１の切換手段と連動し、前記第２の電流供給手段からの出力を前記平面型スピーカの他方端に供給するか又は前記他の動電型スピーカの他方端に供給するかを切り換える第４の切換手段と、を備えることを特徴としている（請求項４）。
【００２２】
本願発明のその他の特徴及び利点は、添付図面を参照して以下に行う詳細な説明によって、より明らかとなろう。
【発明を実施するための最良の形態】
【００２３】
以下、本願発明の好ましい実施の形態を、添付図面を参照して具体的に説明する。
【００２４】
図１は、本願発明に係る音声出力システムを示すブロック構成図である。この音声出力システムは、大別してアンプ装置Ａと、平面型スピーカ１と、動電型スピーカ２とによって構成されている。この音声出力システムでは、アンプ装置Ａにスピーカとして平面型スピーカ１と動電型スピーカ２とが接続可能とされており、両者のうちいずれか一方のスピーカが選択されて使用することができるものである。
【００２５】
すなわち、アンプ装置Ａには、ユーザによって操作可能な切換部１０（後述）が設けられており、この切換部１０による操作によって例えば平面型スピーカ１をユーザが選択した場合には、平面型スピーカ１が使用可能とされ、動電型スピーカ２をユーザが選択した場合には、動電型スピーカ２が使用可能とされている。
【００２６】
平面型スピーカ１は、図２に示すように、横長長方形の一対の平面板３ａ，３ｂが所定の間隔を隔てて対向配置されたものであり、一対の平面板３ａ，３ｂのいずれか一方又は両方の平面板３ａ，３ｂが振動することにより、周囲の空気が振動して音声が出力されるものである。
【００２７】
平面型スピーカ１は、図２には示していないが、一対の平面板３ａ，３ｂのうち一方の平面板は振動しない固定板とされ、他方の平面板は振動する振動板とされている。他方の平面板は、その表面に対して略法線方向に振動する。一方の平面板と他方の平面板との間には、それらの周囲に沿って枠体として配された図示しないスペーサが設けられている。なお、以下に述べる平面型スピーカ１の動作原理では、一対の平面板３ａ，３ｂはいずれも振動板として説明する。
【００２８】
一対の平面板３ａ，３ｂは、例えばセラミックによって構成されており、その厚みが約１〜３０μｍとされている。一対の平面板３ａ，３ｂには、いずれかの表面にそれぞれメアンダライン形の導体線路４ａ，４ｂが形成されている。導体線路４ａの一端は、例えば平面板３ａの長手方向の一方端部に設けられた一対の端子の正端子に接続され、導体線路４ａの他端は、平面板３ａの長手方向の他方端部から一方端部に戻って正端子の近傍に設けられた負端子に接続されている。なお、導体線路４ｂの平面板３ｂに対する構成は、導体線路４ａの平面板３ａに対する構成と同様である。
【００２９】
一対の平面板３ａ，３ｂに形成された各導体線路４ａ，４ｂは、導体線路４ａ，４ｂ同士が互いに対向するように配置されている。なお、導体線路４ａ，４ｂは、平面板３ａ，３ｂに導体を貼付することにより形成されてもよく、エッチングにより形成されてもよい。また、導体線路４ａ，４ｂは、平面板３ａ，３ｂの振動を阻害しないような軽量のものがより望ましい。
【００３０】
上記導体線路４ａ，４ｂのそれぞれには、アンプ装置Ａから出力される駆動電流が流される。駆動電流は、図２に示す正極端子（＋）から負極端子（−）に流れる向きと、負極端子（−）から正極端子（＋）に流れる向きとがある。
【００３１】
一対の平面板３ａ，３ｂの各導体線路４ａ，４ｂに、図２に示すように、互いに逆向きの方向に駆動電流が流れたとき、図２及び図３に示すように、導体線路４ａ，４ｂ間にローレンツ力による斥力Ｆ１，Ｆ２が作用する。より具体的には、一方の平面板３ａの導体線路４ａに流れる駆動電流Ｉ１と他方の平面板３ｂの導体線路４ｂに流れる駆動電流Ｉ２とが逆向きである場合、一方の導体線路４ａの周囲には、他方の導体線路４ｂに流れる駆動電流Ｉ２によって反時計周りに磁力線Ｅ２が生じる。したがって、一方の導体線路４ａには、駆動電流Ｉ１と磁力線Ｅ２とにより、図３における上向きの電磁力（斥力）Ｆ１が生じる。
【００３２】
また、他方の導体線路４ｂの周囲には、一方の導体線路４ａに流れる駆動電流Ｉ１によって時計周りに磁力線Ｅ１が生じる。したがって、他方の導体線路４ｂには、駆動電流Ｉ２と磁力線Ｅ１とにより、図３における下向きの電磁力（斥力）Ｆ２が生じる。
【００３３】
一方、図４に示すように、互いに同一方向に駆動電流が流れたとき、図４及び図５に示すように、導体線路４ａ，４ｂ間にローレンツ力による引力Ｆ１’，Ｆ２’が作用する。すなわち、一方の平面板３ａの導体線路４ａに流れる駆動電流Ｉ１と他方の平面板３ｂの導体線路４ｂに流れる駆動電流Ｉ２とが互いに同一方向である場合、一方の導体線路４ａには、駆動電流Ｉ１と磁力線Ｅ２とにより、図５における下向きの電磁力（引力）Ｆ１’が生じる。また、他方の導体線路４ｂには、駆動電流Ｉ２と磁力線Ｅ１とにより、図５における上向きの電磁力（引力）Ｆ２’が生じる。
【００３４】
上記電磁力Ｆ１，Ｆ２，Ｆ１’，Ｆ２’が生じる方向は、この平面スピーカ１における音声放射方向と両一致するようにされている。すなわち、いずれかの平面板３ａ，３ｂの導体線路４ａ，４ｂに対して駆動電流の流れる向きを交互に変化させて駆動電流を流すことにより、いずれかの平面板３ａ，３ｂが振動し、この振動により音声が出力される。なお、この平面スピーカ１では、双方の平面板３ａ，３ｂが振動されてもよい。
【００３５】
動電型スピーカ２は、振動板としての略円錐状のコーン紙及びボイスコイル（ともに図示せず）を備え、ボイスコイルに駆動電流が流れることによりコーン紙が振動し、この振動により音声を出力するものである。なお、本実施形態に係る音声出力システムでは、平面型スピーカと切り換えられるスピーカとして、動電型スピーカに代えて静電型スピーカ等が用いられてもよい。すなわち、後述するように、パルス幅変調された変調信号とその反転された変調信号とに基づいて駆動するスピーカであればよい。
【００３６】
図１に戻り、アンプ装置Ａは、オーディオ信号発生源５と、パルス幅変調（ＰＷＭ）部６と、クロック発生部７と、第１及び第２エッジトリガ部８ａ，８ｂと、位相反転部９と、切換部１０と、第１ないし第４レベルシフト部１１ａ〜１１ｄと、第１ないし第４駆動部１２ａ〜１２ｄと、第１ないし第４スイッチング素子１３ａ〜１３ｄと、第１及び第２フィルタ部１４ａ，１４ｂとによって概略構成されている。なお、オーディオ信号発生源５は、アンプ装置Ａとは別途独立して設けられてもよい。
【００３７】
本実施形態に係るアンプ装置Ａでは、詳細は後述する切換部１０における切換動作により、平面型スピーカ１と動電型スピーカ２との切換が行われるようになっている。より具体的には、平面型スピーカ１及び動電型スピーカ２は、ともにそれらに供給される駆動電流によって振動し音声を発生させるものであるが、供給される駆動電流の信号形態が異なる。しかしながら、その信号形態を生成する回路において一部を共用することが可能なため、本実施形態では、アンプ装置Ａの構成において共用できる部分の共通化を図り、平面型スピーカ１と動電型スピーカ２とをともに接続しつつ切り換えて使用することを実現したものである。
【００３８】
オーディオ信号発生源５は、入力信号としてのオーディオ信号を発生するものである。オーディオ信号発生源５から発生されたオーディオ信号は、パルス幅変調部６に入力される。
【００３９】
パルス幅変調部６は、オーディオ信号発生源５から出力されたオーディオ信号をパルス幅変調して変調信号（オーディオ信号の振幅に応じてデューティ比が変化する一定周期のパルス信号）を生成、出力するものである。パルス幅変調部６における変調方法としては、鋸波や三角波を用いる方法及びコンデンサの充放電を用いる方法あるいはその他の方法のいずれの方法であってもよい。パルス幅変調部６から出力される変調信号は、第２エッジトリガ部８ｂ、切換部１０の第２スイッチＳＷ２（後述）、及び位相反転部９にそれぞれ入力される。
【００４０】
クロック発生部７は、デューティ比がほぼ５０％のクロック信号である基準クロック信号を生成するものである。この基準クロック信号は、パルス幅変調部６において変調信号を生成するための基準クロックとして用いられるとともに、第１エッジトリガ部８ａにおいて分周されるために用いられる。
【００４１】
第１エッジトリガ部８ａは、クロック発生部７からの基準クロック信号の立ち下がり又は立ち上がりを検出して、元の基準クロック信号の２倍の周波数を有するクロック信号を生成する、いわゆる２分周回路である。第１エッジトリガ部８ａの出力は、切換部１０の第１スイッチＳＷ１（後述）に入力される。
【００４２】
第２エッジトリガ部８ｂは、パルス幅変調部６からのパルス信号である変調信号の立ち下がり又は立ち上がりを検出して、元の変調信号の２倍の周波数を有する変調信号を生成する２分周回路である。第２エッジトリガ部８ｂの出力は、切換部１０の第２スイッチＳＷ２（後述）に入力される。第１エッジトリガ部８ａから出力される２分周されたクロック信号及び第２エッジトリガ部８ｂから出力される２分周された変調信号は、平面型スピーカ１の駆動用として用いられる。
【００４３】
位相反転部９は、パルス幅変調部６からのパルス信号を位相反転するものである。位相反転されたパルス信号は、切換部１０の第１スイッチＳＷ１（後述）に入力される。位相反転部９から出力される、反転された変調信号及びパルス幅変調部６から出力される変調信号は、動電型スピーカ２の駆動用として用いられる。
【００４４】
切換部１０は、平面型スピーカ１及び動電型スピーカ２に対して出力される信号を切り換えるためのものであり、図１に示すように、第１ないし第４スイッチＳＷ１〜４により構成されている。第１ないし第４スイッチＳＷ１〜４は、例えばユーザの操作により連動して切換動作され、例えば図１における上側に設定されると、平面型スピーカ１側に切り換わり、図１における下側に設定されると、動電型スピーカ２側に切り換わる。
【００４５】
すなわち、第１スイッチＳＷ１は、第１エッジトリガ部８ａからの２分周されたクロック信号と、位相反転された変調信号とを切り換えて第１及び第２レベルシフト部１１ａ，１１ｂに供給するためのものである。第２スイッチＳＷ２は、第２エッジトリガ部８ｂからの２分周された変調信号と、分周されていない元の変調信号とを切り換えて第３及び第４レベルシフト部１１ｃ，１１ｄに供給するためのものである。
【００４６】
第３スイッチＳＷ３は、第１及び第２スイッチング素子１３ａ，１３ｂからの信号を、平面型スピーカ１へ供給するか、又は第１フィルタ部１４ａ（動電型スピーカ２）に供給するかを切り換えるためのものである。第４スイッチＳＷ４は、第３及び第４スイッチング素子１３ｃ，１３ｄからの信号を、平面型スピーカ１へ供給するか、又は第２フィルタ部１４ｂ（動電型スピーカ２）に供給するかを切り換えるためのものである。
【００４７】
第１ないし第４レベルシフト部１１ａ〜１１ｄは、パルス幅変調部６における基準電位を、第１ないし第４スイッチング素子１３ａ〜１３ｄを駆動させるための基準電位にシフトするためのものである。第１ないし第４レベルシフト部１１ａ〜１１ｂは、後述する第１ないし第４駆動部１２ａ〜１２ｄのそれぞれに、及び第１ないし第４スイッチング素子１３ａ〜１３ｄのそれぞれに対応している。
【００４８】
第１ないし第４駆動部１２ａ〜１２ｄは、第１ないし第４スイッチング素子１３ａ〜１３ｄを駆動させるためのものである。第１ないし第４駆動部１２ａ〜１２ｄは、後述する第１ないし第４スイッチング素子１３ａ〜１３ｄのそれぞれに対応している。
【００４９】
第１ないし第４スイッチング素子１３ａ〜１３ｄは、例えばＭＯＳ−ＦＥＴ等の電力増幅型電界効果トランジスタによって構成されている。第１及び第２スイッチング素子１３ａ，１３ｂは、正負の電源電圧＋Ｖ，−Ｖ間に直列に接続されており、それらの中点がスピーカ側に接続され、いわゆるハーフブリッジ回路を構成している。第１及び第２スイッチング素子１３ａ，１３ｂは、第１エッジトリガ部８ａからの２分周されたクロック信号又は位相反転された変調信号に基づいて交互にオン、オフ動作される。
【００５０】
より詳細には、第１スイッチング素子１３ａはｐ型とされ、２分周されたクロック信号がハイレベルのとき、オン動作し、スピーカ側に正の電源電圧＋Ｖを供給する（スピーカ側に「吐き出し電流」を供給する）。第２スイッチング素子１３ｂはｎ型とされ、２分周されたクロック信号がローレベルのとき、オン動作し、スピーカ側に負の電源電圧−Ｖを供給する（スピーカ側に「吸い込み電流」を供給する）。
【００５１】
また、第３及び第４スイッチング素子１３ｃ，１３ｄは、第１及び第２スイッチング素子１３ａ，１３ｂと同様に、正負の電源電圧＋Ｖ，−Ｖ間に直列に接続されており、それらの中点がスピーカ側に接続され、ハーフブリッジ回路を構成している。第３及び第４スイッチング素子１３ｃ，１３ｄは、第２エッジトリガ部８ｂからの２分周された変調信号又は元の変調信号に基づいて交互にオン、オフ動作される。
【００５２】
より詳細には、第３スイッチング素子１３ｃはｐ型とされ、２分周された変調信号がハイレベルのとき、オン動作し、スピーカ側に正の電源電圧＋Ｖを供給する（スピーカ側に「吐き出し電流」を供給する）。第４スイッチング素子１３ｄはｎ型とされ、元の変調信号がローレベルのとき、オン動作し、スピーカ側に負の電源電圧−Ｖを供給する（スピーカ側に「吸い込み電流」を供給する）。
【００５３】
第１及び第２フィルタ部１４ａ，１４ｂは、例えばコイル及びコンデンサ（ともに図示せず）によるＬＣ回路によって構成される。第１及び第２フィルタ部１４ａ，１４ｂは、例えば６０ｋＨｚのカットオフ周波数を有するローパスフィルタである。第１フィルタ部１４ａは、第１及び第２スイッチング素子１３ａ，１３ｂによってスイッチングされた正負の電源電圧＋Ｖ，−Ｖの高調波成分を除去し、その出力を動電型スピーカ２に供給する。第２フィルタ部１４ｂは、第３及び第４スイッチング素子１３ｃ，１３ｄによってスイッチングされた正負の電源電圧＋Ｖ，−Ｖの高調波成分を除去し、その出力を動電型スピーカ２に供給する。
【００５４】
次に、上記構成による作用について説明する。まず、例えば切換部１０が平面型スピーカ１側に切換操作された場合について、図６に示すタイミングチャートを参照して説明する。切換部１０が平面型スピーカ１側に切換操作された場合、第１ないし第４スイッチＳＷ１〜ＳＷ４は、図１における上側に切り換わる。
【００５５】
クロック発生部７から出力される基準クロック信号（図６（ｂ）参照）は、第１エッジトリガ部８ａにおいて２分周されたクロック信号（図６（ｄ）参照）として生成される。この２分周されたクロック信号は、第１スイッチＳＷ１を介して第１及び第２レベルシフト部１１ａ，１１ｂに供給される。
【００５６】
第１及び第２レベルシフト部１１ａ，１１ｂに供給された２分周クロック信号は、第１及び第２スイッチング素子１３ａ，１３ｂの基準電位にシフトされ、第１及び第２駆動部１２ａ，１２ｂにおいて第１及び第２スイッチング素子１３ａ，１３ｂを駆動するための信号に変換される。そして、所定のタイミングで第１及び第２スイッチング素子１３ａ，１３ｂにそれぞれ出力される。
【００５７】
第１及び第２スイッチング素子１３ａ，１３ｂは、第１及び第２駆動部１２ａ，１２ｂから出力される駆動信号に基づいてオン、オフ動作される。すなわち、図６（ｄ）に示すように、２分周クロック信号のハイレベルの期間Ｔ１においては、第１スイッチング素子１３ａがオン動作する一方、第２スイッチング素子１３ｂがオフ動作する。これにより、正の電源電圧＋Ｖが第３スイッチＳＷ３を介して平面型スピーカ１の一方の平面板３ａに供給される。
【００５８】
また、２分周クロック信号のローレベルの期間Ｔ２においては、第１スイッチング素子１３ａがオフ動作する一方、第２スイッチング素子１３ｂがオン動作する。これにより、負の電源電圧−Ｖが第３スイッチＳＷ３を介して平面型スピーカ１に供給される。すなわち、２分周クロック信号がハイレベルの期間Ｔ１とは、逆方向の駆動電流が平面型スピーカ１の一方の平面板３ａに流れることになる。
【００５９】
一方、オーディオ信号発生源５から出力されるアナログ信号としてのオーディオ信号（図６（ａ）参照）は、パルス幅変調部６においてパルス幅変調されて、ディジタル信号としての変調信号（図６（ｃ）参照）に変換される。パルス幅変調部６から出力される変調信号は、第２エッジトリガ部８ｂにおいて２分周された変調信号（図６（ｅ）参照）として生成される。この２分周変調信号は、第２スイッチＳＷ２を介して第３及び第４レベルシフト部１１ｃ，１１ｄに供給される。
【００６０】
第３及び第４レベルシフト部１１ｃ，１１ｄに供給された２分周変調信号は、第３及び第４スイッチング素子１３ｃ，１３ｄの基準電位にシフトされ、第３及び第４駆動部１２ｃ，１２ｄにおいて第３及び第４スイッチング素子１３ｃ，１３ｄを駆動するための信号に変換される。そして、所定のタイミングで第３及び第４スイッチング素子１３ｃ，１３ｄにそれぞれ出力される。
【００６１】
第３及び第４スイッチング素子１３ｃ，１３ｄは、第３及び第４駆動部１２ｃ，１２ｄから出力される駆動信号に基づいてオン、オフ動作される。すなわち、図６（ｅ）に示すように、２分周変調信号のハイレベルの期間Ｔ３においては、第３スイッチング素子１３ｃがオン動作する一方、第４スイッチング素子１３ｄがオフ動作する。これにより、正の電源電圧＋Ｖが第４スイッチＳＷ４を介して平面型スピーカ１の他方の平面板３ｂに供給される。
【００６２】
また、２分周変調信号のローレベルの期間Ｔ４においては、第３スイッチング素子１３ｃがオフ動作する一方、第４スイッチング素子１３ｄがオン動作する。これにより、負の電源電圧−Ｖが第４スイッチＳＷ４を介して平面型スピーカ１に供給される。すなわち、２分周変調信号がハイレベルの期間Ｔ３とは、逆方向の駆動電流が平面型スピーカ１の他方の平面板３ｂに流れることになる。
【００６３】
すなわち、図６（ｆ）を参照すると、期間ｔ１においては、２分周クロック信号がハイレベルである一方、２分周変調信号がローレベルであるので、平面型スピーカ１の平面板３ａ，３ｂの各導体線路４ａ，４ｂには、逆方向の駆動電流が流れる。また、期間ｔ２においては、２分周クロック信号及び２分周変調信号ともハイレベルであるので、各導体線路４ａ，４ｂには、同一方向の駆動電流が流れる。
【００６４】
また、期間ｔ３においては、２分周クロック信号はローレベルである一方、２分周変調信号はハイレベルであるので、各導体線路４ａ，４ｂには、逆方向の駆動電流が流れる。そして、期間ｔ４においては、２分周クロック信号及び２分周変調信号ともローレベルであるので、各導体線路４ａ，４ｂには、同一方向の駆動電流が流れる。
【００６５】
図２ないし図５で示したように、各導体線路４ａ，４ｂに流れる駆動電流同士が同一方向のときには、一対の平面板３ａ，３ｂには引力Ｆ１’，Ｆ２’が生じ、駆動電流同士が逆方向のときには、一対の平面板３ａ，３ｂには斥力Ｆ１，Ｆ２が生じる。これらの引力Ｆ１’，Ｆ２’及び斥力Ｆ１，Ｆ２により、一対の平面板３ａ，３ｂが振動され、この振動により平面型スピーカ１から音声が出力される。
【００６６】
次に、例えば切換部１０が動電型スピーカ２側に切換操作された場合について、図７に示すタイミングチャートを参照して説明する。切換部１０が動電型スピーカ２側に切換操作された場合、第１ないし第４スイッチＳＷ１〜ＳＷ１は、図１における下側に切り換わる。
【００６７】
オーディオ信号発生源５から出力されるアナログ信号としてのオーディオ信号（図７（ａ）参照）は、パルス幅変調部６においてクロック発生部７からの基準クロック信号に基づいてパルス幅変調されて、ディジタル信号としての変調信号（図７（ｃ）参照）に変換される。パルス幅変調部６から出力される変調信号は、第２スイッチＳＷ２を介して第３及び第４レベルシフト部１１ｃ，１１ｄに供給される。また、パルス幅変調部６から出力される変調信号は、位相反転部９によって位相反転され、第１スイッチＳＷ１を介して第１及び第２レベルシフト部１１ａ，１１ｂに供給される。
【００６８】
第１及び第２レベルシフト部１１ａ，１１ｂに供給された、位相反転部９によって位相反転された反転変調信号（図７（ｄ）参照）は、第１及び第２スイッチング素子１３ａ，１３ｂの基準電位にシフトされ、第１及び第２駆動部１２ａ，１２ｂにおいて第１及び第２スイッチング素子１３ａ，１３ｂを駆動するための信号に変換される。そして、所定のタイミングで第１及び第２スイッチング素子１３ａ，１３ｂにそれぞれ出力される。
【００６９】
第１及び第２スイッチング素子１３ａ，１３ｂは、第１及び第２駆動部１２ａ，１２ｂから出力される駆動信号に基づいてオン、オフ動作される。すなわち、図７（ｄ）に示すように、反転変調信号のハイレベルの期間Ｔ５においては、第１スイッチング素子１３ａがオン動作する一方、第２スイッチング素子１３ｂがオフ動作する。これにより、正の電源電圧＋Ｖが第３スイッチＳＷ３を介して第１フィルタ部１４ａに出力される。第１フィルタ部１４ａでは、高調波成分が除去された後、動電型スピーカ２の一方端子に供給される。
【００７０】
また、反転変調信号のローレベルの期間Ｔ６においては、第１スイッチング素子１３ａがオフ動作する一方、第２スイッチング素子１３ｂがオン動作する。これにより、負の電源電圧−Ｖが第３スイッチＳＷ３を介して第１フィルタ部１４ａに出力され、高調波成分が除去された後、動電型スピーカ２の一方端子に供給される。
【００７１】
一方、第３及び第４レベルシフト部１１ｃ，１１ｄに供給された変調信号は、第３及び第４スイッチング素子１３ｃ，１３ｄの基準電位にシフトされ、第３及び第４駆動部１２ｃ，１２ｄにおいて第３及び第４スイッチング素子１３ｃ，１３ｄを駆動するための信号に変換される。そして、所定のタイミングで第３及び第４スイッチング素子１３ｃ，１３ｄにそれぞれ出力される。
【００７２】
第３及び第４スイッチング素子１３ｃ，１３ｄは、第３及び第４駆動部１２ｃ，１２ｄから出力される駆動信号に基づいてオン、オフ動作される。すなわち、図７（ｃ）に示すように、変調信号のローレベルの期間Ｔ７においては、第３スイッチング素子１３ｃがオフ動作する一方、第４スイッチング素子１３ｄがオン動作する。これにより、負の電源電圧−Ｖが第４スイッチＳＷ４を介して第２フィルタ部１４ｂに出力される。第２フィルタ部１４ｂでは、負の電源電圧−Ｖは高調波成分が除去された後、動電型スピーカ２の他方端子に供給される。
【００７３】
また、変調信号のハイレベルの期間Ｔ８においては、第３スイッチング素子１３ｃがオン動作する一方、第４スイッチング素子１３ｄがオフ動作する。これにより、正の電源電圧＋Ｖが第４スイッチＳＷ４を介して第２フィルタ部１４ｂに出力され、高調波成分が除去された後、動電型スピーカ２の他方端子に供給される。
【００７４】
動電型スピーカ２においては、図示しないボイスコイルに流れる駆動電流が変調信号及び反転変調信号に基づいて交互に反転されるので、その反転動作に基づいて振動板としてのコーン紙が振動される。この振動により、動電型スピーカ２から音声が出力される。
【００７５】
このように、本実施形態に係る音声出力システムにおいては、平面型スピーカ１と動電型スピーカ２とをともに接続することができ、切換部１０で切換操作が行われることにより、平面型スピーカ１と動電型スピーカ２とを容易に切り換えて駆動させることができる。したがって、平面型スピーカ１専用のアンプ装置や動電型スピーカ２専用のアンプ装置を別途用意する必要がなく、汎用性のある音声出力システムを提供することができる。
【００７６】
また、平面型スピーカ１と動電型スピーカ２とは、駆動するための信号形態が異なるものであるが、本実施形態のアンプ装置Ａでは、上記駆動信号を生成する回路を部分的に共用化することができるので、部品点数の低減化、装置の小型化を図ることができる。具体的には、オーディオ信号発生源５、パルス幅変調部６、クロック発生部７、第１ないし第４レベルシフト部１１ａ〜１１ｄ、第１ないし第４駆動部１２ａ〜１２ｄ及び第１ないし第４スイッチング素子１３ａ〜１３ｄを共用することができる。
【００７７】
図８は、音声出力システムの変形例を示すブロック図である。この変形例の構成は、レベルシフト部、駆動部及びスイッチング素子からなる電力増幅部が平面型スピーカ１及び動電型スピーカ２でそれぞれ独立に設けられ、切換部１０が省略されている点で上記した実施形態と異なる。
【００７８】
より詳細には、第１エッジトリガ部８ａの出力段に、第１及び第２レベルシフト部１１ａ，１１ｂ、第１及び第２駆動部１２ａ，１２ｂ、並びに第１及び第２スイッチング素子１３ａ，１３ｂが接続され、第２エッジトリガ部８ｂの出力に、第３及び第４レベルシフト部１１ｃ，１１ｄ、第３及び第４駆動部１２ｃ，１２ｄ、並びに第３及び第４スイッチング素子１３ｃ，１３ｄが接続されている。そして、第１及び第２スイッチング素子１３ａ，１３ｂの中点と、第３及び第４スイッチング素子１３ｃ，１３ｄの中点とに、平面型スピーカ１が接続されている。
【００７９】
また、パルス幅変調部６の出力段に、第５及び第６レベルシフト部１１ｅ，１１ｆ、第５及び第６駆動部１２ｅ，１２ｆ、並びに第５及び第６スイッチング素子１３ｅ，１３ｆが接続され、位相反転部９の出力段に、第７及び第８レベルシフト部１１ｇ，１１ｈ、第７及び第８駆動部１２ｇ，１２ｈ、並びに第７及び第８スイッチング素子１３ｇ，１３ｈが接続されている。そして、第５及び第６スイッチング素子１３ｅ，１３ｆの中点と、第７及び第８スイッチング素子１３ｇ，１３ｈの中点とに、第１及び第２フィルタ部１４ａ，１４ｂを介して動電型スピーカ２が接続されている。その他の構成については、上記した実施形態と略同様である。
【００８０】
この構成においても、アンプ装置Ａ’に平面型スピーカ１及び動電型スピーカ２を接続することができ、パルス幅変調部６等の平面型スピーカ１及び動電型スピーカ２を駆動するための信号を生成する回路を部分的に共用することができる。また、この変形例の音声出力システムでは、切換部１０が省略されているので、ユーザは使用に応じて平面型スピーカ１及び動電型スピーカ２を切り換える必要がなく、切換の手間を省くことができる。
【００８１】
もちろん、この発明の範囲は上述した実施の形態に限定されるものではなく、上記実施形態に示した回路構成は一例であり、同等の機能を有するものであれば、種々の回路を適用することができる。例えば図１及び図８に、本願発明に係る音声出力システムのブロック構成図を示したが、本願発明はこのブロックに限るものではない。
【図面の簡単な説明】
【００８２】
【図１】本願発明に係る音声出力システムを示すブロック構成図である。
【図２】平面型スピーカの概略構成図であり、導体線路間に斥力が生じる場合を示す。
【図３】平面型スピーカの動作原理図であり、導体線路間に斥力が生じる場合を示す。
【図４】平面型スピーカの概略構成図であり、導体線路間に引力が生じる場合を示す。
【図５】平面型スピーカの動作原理図であり、導体線路間に引力が生じる場合を示す。
【図６】音声出力システムの作用を説明するためのタイミングチャートであり、切換部が平面型スピーカ側に切換操作された場合を示す。
【図７】音声出力システムの作用を説明するためのタイミングチャートであり、切換部が動電型スピーカ側に切換操作された場合を示す。
【図８】音声出力システムの変形例を示すブロック構成図である。
【図９】平面型スピーカの動作原理を説明するための図であり、導体線路間に斥力が生じる場合を示す。
【図１０】平面型スピーカの動作原理を説明するための図であり、導体線路間に引力が生じる場合を示す。
【符号の説明】
【００８３】
１  平面型スピーカ
２  動電型スピーカ
３ａ，３ｂ  平面板
４ａ，３ｂ  導体線路
５  オーディオ信号発生源
６  パルス幅変調部
７  クロック発生部
８ａ  第１エッジトリガ部
８ｂ  第２エッジトリガ部
９  位相反転部
１０  切換部
１１ａ  第１レベルシフト部
１１ｂ  第２レベルシフト部
１１ｃ  第３レベルシフト部
１１ｄ  第４レベルシフト部
１２ａ  第１駆動部
１２ｂ  第２駆動部
１２ｃ  第３駆動部
１２ｄ  第４駆動部
１３ａ  第１スイッチング素子
１３ｂ  第２スイッチング素子
１３ｃ  第３スイッチング素子
１３ｄ  第４スイッチング素子
１４ａ  第１フィルタ部
１４ｂ  第２フィルタ部
ＳＷ１  第１スイッチ
ＳＷ２  第２スイッチ
ＳＷ３  第３スイッチ
ＳＷ４  第４スイッチ
【図１】
2009232346.tif 000003
【図２】
2009232346.tif 000004
【図３】
2009232346.tif 000005
【図４】
2009232346.tif 000006
【図５】
2009232346.tif 000007
【図６】
2009232346.tif 000008
【図７】
2009232346.tif 000009
【図８】
2009232346.tif 000010
【図９】
2009232346.tif 000011
【図１０】
2009232346.tif 000012